(57)【要約】【課題】加熱装置の設定操作に必要な情報を、複数の表示部に分類して表示することで、操作性を向上させた加熱装置を提供することを目的とする。【解決手段】被加熱物を収納する加熱室２１と、被加熱物を加熱する加熱手段２２と、加熱室２１または被加熱物２１の物理量を検出する検出手段２６と、加熱条件を入力する入力手段２４と、入力された加熱条件を表示する表示手段２３と、入力された加熱条件に従って加熱手段２２および表示手段２３を制御する制御手段２５とを備え、表示手段２３はドットマトリクス方式表示部２３１とセグメント方式表示部２３２とからなり、入力に必要な情報や入力手段２４により入力した結果を情報別に分類して表示する。【選択図】図２
2009281691.tif 000002
【特許請求の範囲】
【請求項１】
被加熱物を収納する加熱室と、前記被加熱物を加熱する加熱手段と、前記加熱室または前記被加熱物の物理量を検出する検出手段と、加熱条件を入力する入力手段と、入力された加熱条件を表示する表示手段と、入力された加熱条件に従って前記加熱手段および前記表示手段を制御する制御手段とを備え、前記表示手段はドットマトリクス方式表示部とセグメント方式表示部とからなり、入力に必要な情報や前記入力手段により入力した結果を情報別に分類して表示する加熱装置。
【請求項２】
前記表示手段は、加熱メニューの大分類と、前記大分類から選択される加熱メニューと、操作指示や入力状態と、入力された加熱時間や加熱温度と、加熱機能や制御状態と、加熱の仕上がり指示情報などを表示する表示部を備え、必要な情報を操作手順に従って表示し操作を誘導する請求項１に記載の加熱装置。
【請求項３】
前記表示手段は、入力された加熱条件に対して前記検出手段により検出された物理量を同時に表示する請求項１または２に記載の加熱装置。
【請求項４】
前記表示手段の１つをグラフ表示として、入力された加熱条件に対して、前記検出手段により検出された物理量を同時に表示するグラフを用いた請求項１〜３のいずれか１項に記載の加熱装置。
【請求項５】
前記表示手段は、入力された加熱条件に対して検出された物理量を同時に表示し、数値表示とグラフ表示のどちらか一方を切り替えて表示する請求項１〜４のいずれか１項に記載の加熱装置。
【請求項６】
物理量として加熱室または被加熱物の温度を検出し、表示手段に表示する請求項１〜５のいずれか１項に記載の加熱装置。
【請求項７】
前記表示手段に、総加熱時間と経過時間の両方を表示する請求項１〜６いずれか１項に記載の加熱装置。
【請求項８】
前記表示手段の１つをグラフ表示として、総加熱時間と経過時間を同時に表示するグラフを用いた請求項１〜７いずれか１項に記載の加熱装置。
【発明の詳細な説明】
【技術分野】
【０００１】
本発明は、複数の表示部を有する加熱装置に関し、具体的には、複数の表示部に情報を分類して表示することで操作性を改善するものである。
【背景技術】
【０００２】
近年、この種の加熱装置は、あらかじめ用意された加熱メニューの中から使用するメニューを決定し、加熱時間や加熱温度を設定するものが多い。この種の加熱装置は多機能化し、複雑な操作手順を要することから、操作性の向上が求められている。
【０００３】
操作入力の過程や結果は文字や数値で表示される。使用者はその表示を確認することで、入力した結果や操作手順を知ることができる。そのため、わかりやすい表示に対する要求は高まっている。
【０００４】
従来、表示部には一般にセグメント方式の表示管が用いられることが多いが、ドットマトリクス方式の表示管を用いた加熱装置も存在する。
【０００５】
また、操作の過程で必要な情報のみを操作手順に従って表示し、加熱条件を設定できるよう誘導するものもある。なお、かかる先行技術は、文献公知発明に係るものでないため、記載すべき先行技術文献情報はない。
【発明の開示】
【発明が解決しようとする課題】
【０００６】
図６（ａ）は、従来の加熱装置の前面ドア部を示す図ある。ドア上部には取っ手３１が設けられ、ドア開閉ができるようになっている。本装置の表示手段は、セグメント方式の表示管２３３と、ドアスクリーン３２下部に設けた加熱メニュー名を表記した表示部２３４とから構成されている。
【０００７】
図６（ｃ）は、従来の加熱装置におけるセグメント方式の表示例を示す図である。図６（ｃ）に示されるように、セグメント方式の表示管２３３は、図４あらかじめ決められた表示セグメントを電気的にＯＮしたりＯＦＦしたりすることで表示を実現している。数字は５１、５２、５３、５４、５５、５６、５７のように７つのセグメントに分解し、それぞれのセグメントを電気的にＯＮして組み合わせることで表示する。
【０００８】
セグメント方式の表示管は、１つの表示をあらかじめ決められた位置にしか表示できず、同じ位置に異なる表示をすることはできない。加熱メニューの種類が多いと全てのメニュー名を表示することはできないので、それぞれの加熱メニューに番号をつけてその数字を表示するのが一般的である。
【０００９】
図６（ｂ）は、加熱メニュー名を表記した表示部２３４の拡大図である。図６（ｂ）に示されるように、番号と加熱メニューの対応は加熱メニュー名を表記した表示部２３４で確認できる。図３この表示部２３４に照光素子を設けて、選択中の加熱メニューを点灯する構成としている。
【００１０】
この表示方法には、加熱メニュー数が増えれば、多くの照光素子を必要とし、コストがかかるという課題がある。また、表示部２３４を大きくするか、文字を小さくしなければならず、表示が雑多になり見易さが低下するという課題もある。
【００１１】
これに対して、ドットマトリクス方式の表示管は、文字や画像を自由に配置して表示ができるが、セグメント方式と比較してコストが高く、コストを抑えようとすると表示部を大きくできなかった。
【００１２】
表示部が小さいと、多くの情報を表示するためには、一定時間おきや入力操作ごとに画面を切り替えて表示しなければならず、同時に情報を表示することができなかった。同時に情報を表示すると、やはり表示が細かくなり見易さが低下していた。
【００１３】
本発明は、上記課題を解決するためになされたもので、その目的とするところは、セグメント方式の表示管とドットマトリクス方式の表示管を組み合わせて、情報を分類して表示することで、操作性を向上させた加熱装置を提供することにある。
【課題を解決するための手段】
【００１４】
上記課題を解決する本発明の加熱装置は、被加熱物を収納する加熱室と、前記被加熱物を加熱する加熱手段と、前記加熱室または前記被加熱物の物理量を検出する検出手段と、加熱条件を入力する入力手段と、入力された加熱条件を表示する表示手段と、入力された加熱条件に従って前記加熱手段および前記表示手段を制御する制御手段とを備え、前記表示手段はドットマトリクス方式表示部とセグメント方式表示部からなり、入力に必要な情報や前記入力手段により入力した結果や加熱条件や制御状態と前記検出手段により検出された物理量を情報別に分類して表示する構成とした。
【発明の効果】
【００１５】
本発明の加熱装置によれば、ドットマトリクス方式の表示管とセグメント方式の表示管を組み合わせて用いることで、低コストで多くの情報を整理して同時にわかりやすく表示することができるので、使用者の誤操作を防ぎ、操作性を向上させる効果がある。
【発明を実施するための最良の形態】
【００１６】
本発明は、被加熱物を収納する加熱室と、前記被加熱物を加熱する加熱手段と、前記加熱室または前記被加熱物の物理量を検出する検出手段と、加熱条件を入力する入力手段と、入力された加熱条件を表示する表示手段と、入力された加熱条件に従って前記加熱手段および前記表示手段を制御する制御手段とを備え、前記表示手段はドットマトリクス方式表示部とセグメント方式表示部からなり、入力に必要な情報や前記入力手段により入力した結果や加熱条件や制御状態と前記検出手段により検出された物理量を、情報別に分類して表示するものである。
【００１７】
これによって、加熱メニュー名をドットマトリクス方式表示部に表示できるので、番号と加熱メニューの対応を確認する手間がなくなる。使用者に注意を促したい内容を選んでドットマトリクス方式表示部に表示し、その他の情報や数字で表示できる加熱条件はセグメント方式表示部に表示することで、ドットマトリクス方式表示部に表示する情報を減らすことができる。
【００１８】
そのため、大きく見易い表示が可能となり、誤操作を防ぎ、コストも抑えることができる。さらに、画面を切り換えることをしなくても、同時に情報を確認できる。
【００１９】
また、加熱条件や制御状態とあわせて加熱中の物理量を確認できるので、加熱の進行に合わせた的確な操作ができ、使用者にとっての利便性を向上させることができる。
【００２０】
前記表示手段は、加熱メニューの大分類と、前記大分類から選択される加熱メニューと、操作指示や入力状態と、入力された加熱時間や加熱温度と、検出した物理量と、加熱機能や制御状態と、加熱の仕上がり指示情報などの表示部を備え、必要な情報を操作手順に
従って表示し操作を誘導する構成を特徴としても良い。
【００２１】
これによって、使用者は取扱説明書を参照しなくても、誘導に従って操作することができ、操作性が向上する。
【００２２】
また、前記表示手段は、入力された加熱条件に対して前記検出手段により検出された物理量を同時に表示することを特徴としても良い。
【００２３】
また、前記表示手段の１つをグラフ表示として、入力された加熱条件に対して検出された物理量を同時に表示するグラフを用いることを特徴としても良い。
【００２４】
また、前記表示手段は、入力された加熱条件に対して検出された物理量を同時に表示し、数値表示とグラフ表示のどちらか一方を切り替えて表示することを特徴としても良い。
【００２５】
また、物理量として加熱室または被加熱物の温度を検出し、表示手段に表示することを特徴としても良い。
【００２６】
また、前記表示手段に、総加熱時間と経過時間の両方を表示することを特徴としても良い。
【００２７】
また、前記表示手段の１つをグラフ表示として、総加熱時間と経過時間を同時に表示するグラフを用いていることを特徴としても良い。
【００２８】
以下、本発明の実施の形態について、図面を参照しながら説明する。なお、この実施の形態によって本発明が限定されるものではない。
【００２９】
（実施の形態）
図１は本発明の加熱装置の外観図、図２は本発明の加熱装置における機能ブロック図である。
【００３０】
図１、図２において、この加熱装置は被加熱物を収納する加熱室２１と、加熱室２１の被加熱物を加熱する加熱手段２２とを有する。加熱手段には、高周波による加熱手段や、ヒータによる加熱手段があり、その両方を備えていてもよい。
【００３１】
加熱装置前面に開閉可能なドア１が設けられ、入力手段２４と表示手段２３が設けられている。入力手段２４は回転や押下によって、制御手段２５に入力を行う。
【００３２】
また、この加熱装置は、入力手段２４からの入力に基づき、制御手段２５により加熱手段２２の制御を行い、その加熱情報を表示手段２３に表示する。さらに、この加熱装置は、検出手段２６により加熱室２１や被加熱物の物理量を検出し、制御手段２５によりその情報を表示手段２３に表示する。
【００３３】
図５図３（ａ）は、本発明の加熱装置におけるドア１前面の拡大図である。従来の加熱装置（図６）と異なるのは、ドアスクリーン３２下部の表示手段２３５と、ドア下部の表示部を図８のようにドットマトリクス方式の表示管２３１とセグメント方式の表示管２３２を組み合わせた構成としたことである。
【００３４】
図３（ｂ）は、表示手段２３５の拡大図で、加熱メニューの大分類名を表記している。また、表示部２３５は照光素子で各大分類名を独立で点灯できる構成とする。
【００３５】
セグメント方式の各セグメント表示は、表示が小さくなりすぎないように、また、互いにくっつきすぎないように配置しないと、表示が雑多になり見易さが低下する。図８のセグメント方式の表示管２３２は、ドットマトリクス方式の表示管２３１を設けたことにより、セグメントを減らすことができた。
【００３６】
このことによって、図３図６（ｂ）と比較して余白が生まれ、２箇所ある３桁の数字表示８１、８２の一方を大きくし、数字の大きさを違う大きさにした。同じ数字表示を異なる大きさにしたことで、２つの表示が違う意味を持つことを、視覚的に認識させる効果がある。
【００３７】
加熱メニューには、使用者が温度や時間などの加熱条件を設定できるもの（手動加熱メニュー）や、あらかじめ加熱条件が用意されていて設定の必要がないもの（自動加熱メニュー）がある。
【００３８】
食品の加熱調理開始にあたって、使用者は入力手段２４を用いて加熱出力や加熱時間などの加熱条件を入力する。入力操作の中の指示や入力値は表示手段２３に表示される。必要な場合には、数値や文字を複数個並べて表示する。入力された情報に基づいて設定された加熱調理を進めていく。加熱調理中には、残り時間や調理中の出力などの制御状態を示す情報が表示手段２３に表示される。
【００３９】
図４、図５はいずれも、加熱メニューを選択して加熱終了するまでの表示遷移の例を示す図である。入力前は図４（ａ）のように、ドットマトリクス方式の表示管２３１に最初の操作説明を表示する。文字だけでなく、画像を用いることで、わかりやすくする効果がある。この表示（図４（ａ））は入力がない時間が一定時間を超えると、省電力のため電源が切れる構成にしてもよい。
【００４０】
まず、表示（図４（ａ））の指示に従って入力手段２４を左回転すると、表示（図４（ｂ））のように手動加熱メニューの一覧が表示される。手動加熱メニューの最初のメニューが選択状態となる。ここで、入力手段２４を左回転すると、回転方向に選択メニューが変わり、それぞれのメニューが選択状態表示となる。
【００４１】
この一覧はドットマトリクス式表示管２３１に表示することで、セグメント方式の表示管に表示するよりメニュー名を大きく表示でき、加熱メニュー名を表記した表示部２３４も必要ない。選択状態を示す方法は、白黒反転表示や点滅表示があるが、点滅表示は見易さの点で課題がある。
【００４２】
しかし、セグメント方式の表示管では同じ位置で反転表示とそうでない表示を切り替えることはできないので、ドットマトリクス式表示管が有効である。
【００４３】
次に、選択したいメニューが選択状態になっているときに、入力手段２４で確定操作をすると、加熱メニューが決定されて表示（図４（ｃ））となる。決定したメニュー名を大きく表示することで、視認性を高める。これは、高齢者や視力が良くない人にも有効である。
【００４４】
加熱条件の入力が必要な場合、操作指示表記９１の照光素子を点灯または点滅させ、さらにドットマトリクス方式表示管２３１に文字で加熱条件種別９５を表示する。加熱条件は入力手段２４によって設定する。設定が必要な加熱条件が複数ある場合は、１つ目の加熱条件を入力手段２４によって確定後、次の加熱条件を設定する。
【００４５】
このとき表示は（図４（ｄ））となる。（図４（ｃ））と同じ位置に文字で加熱条件種
別９５を表示する。このように、同じ役割を持つ異なる文字表示を同じ位置に表示するのに、ドットマトリクス方式表示管は有効である。
【００４６】
また、入力された加熱条件の設定値は、セグメント方式の表示管２３２に表示する。設定値が複数ある場合は、表示（図４（ｄ））のように複数個並べて表示する（９６）。２箇所の数字の大きさが違うので、設定値の違いがわかりやすい。数字で表示するものは、出力、温度、時間などがあり、表示機会は多い。
【００４７】
セグメント方式の表示管では、数字は７つのセグメントに分解し、その組み合わせで表示するので、同じ位置で０から９の数字の表示が可能である。
【００４８】
また、セグメント方式の表示管は、ドットマトリクス方式で表示するよりコストを安く抑えることができる。そのため、数字表示にセグメント方式の表示管を用いることで、メニュー名や設定内容と設定値を同時に確認できる表示が、低コストで実現できる。
【００４９】
入力手段２４によって加熱を開始させると、表示は図４（ｅ）のようになる。使用者は時間表示９７が変化することにより、加熱の残り時間を知ることができる。また、ドットマトリクス方式の表示管２３１に総加熱時間と経過時間を図４（ｆ）のように、グラフ９８で表示することもできる。これによって、使用者が加熱の進行状況を視覚的にとらえることができる。
【００５０】
加熱が終了したら表示図４（ｇ）のように大きく表示する。操作指示表示９９に従って、入力手段２４を操作すると、加熱時間を追加することができる。
【００５１】
従来の加熱装置では入力手段２４の近くに設けた照光素子の点灯や点滅によって報知していたが、そのような機能があることを知らない使用者には、意味が伝わりにくかった。ドットマトリクス方式の表示管を利用すれば、その機能があることと、操作方法を同時に知らせることができる。操作がないまま一定時間が経過すると、初期の表示（図４（ａ））に戻る。
【００５２】
次に図５の表示遷移について説明する。表示（図４（ａ））の状態から入力手段２４を右回転すると、表示手段２３５の大分類名表記９２の照光素子が点灯し、ドットマトリクス方式の表示管２３１には、図５（ｈ）のように大分類名表記９２に属する加熱メニュー一覧が表示される。
【００５３】
さらに入力手段２４を右回転すると、大分類名表記９３、９４の順に照光素子が点灯し、ドットマトリクス方式の表示管２３１には、図５（ｉ）、（ｊ）のようにそれぞれに属する加熱メニュー一覧が順に表示される。手動加熱メニューの一覧表示図４（ｂ）とは配置やデザインを変えて、手動と自動の区別をつけやすくする。
【００５４】
ここでは、加熱メニュー名を表記した表示部２３４の替わりに、自動加熱メニューの大分類名を表記した表示部２３５が必要であるが、加熱メニュー一覧はドットマトリクス方式の表示部２３１に表示するので、大きさが小さくてすみ、照光素子も少なくできる。
【００５５】
入力手段２４により選択したい大分類で決定すると、表示（図５（ｋ））のようにその大分類の最初の加熱メニューが選択状態となる。
【００５６】
これで大分類選択から、メニュー選択に移行したことがわかる。入力手段２４を右回転すると、回転方向に選択メニューが変わり、それぞれのメニューが選択状態表示となる。
【００５７】
使用者が入力手段２４により加熱メニューを確定したら、表示（図５（ｌ））のようにそのメニュー名をドットマトリクス方式の表示管２３１に大きく表示する。加熱で使用する付属品や前もって準備が必要な項目があれば表示する。付属品や前準備は加熱調理が失敗したり、加熱調理が途中で中断する原因となる。
【００５８】
使用者が間違えないように大きく表示したいので、ドットマトリクス方式の表示管２３１に表示する（１０１，１０２）。また、文字とともに画像を一緒に表示すると、何を指しているのか使用者が認識しやすいため、ドットマトリクス方式が有効である。
【００５９】
入力手段２４によって加熱を開始させると、表示は図５（ｍ）のようになる。加熱開始後一定時間は、加熱の仕上がりを調節できる。従来の加熱装置では入力手段２４の近くに設けた照光素子の点灯や点滅によって報知していたが、そのような機能があることを知らない使用者には、意味が伝わりにくかった。
【００６０】
必ずしも操作の必要はないが、ドットマトリクス方式の表示管２３１に１０３のように表示して、そのような機能があることを知らない使用者にも、その機能があることと、操作方法を同時に知らせることができる。仕上がりが変更できる期間が終わったら、表示（図５（ｎ））になる。
【００６１】
さらに図５（ｏ）のように残り時間を表示して、使用者に加熱の残り時間を知らせる。また、（ｆ）のようにグラフ９８で加熱の進捗状況を表示することもできる
加熱が終了したら表示（図５（ｇ））のように大きく表示する。ここでも、操作指示表示９９に従って入力手段２４を操作すると、加熱時間を追加することができる。操作がないまま一定時間が経過すると、初期表示（図４（ａ））に戻る。
【００６２】
検出手段２６には重量センサや温度センサなどがある。これによって、被加熱物の重量や加熱室の温度などの情報を検出することができる。加熱中に検出した現在温度はセグメント方式の表示管に設定値と並べて表示すると、使用者は比較することで、加熱状況を知ることができる。
【００６３】
また、設定値と現在値の同時表示にグラフを用いる方法もある。グラフはドットマトリクス方式の表示管に表示する。グラフには１次元や２次元のものがあり、どちらで表示しても良い。
【産業上の利用可能性】
【００６４】
以上のように、本発明は加熱装置に適用でき、使用者の誤操作を防ぎ、操作性を向上させることができる。
【図面の簡単な説明】
【００６５】
【図１】本発明の実施の形態にかかる加熱装置の外観図
【図２】同装置のブロック図
【図３】本発明の実施の形態にかかる加熱装置のドア前面、大分類名表示部、表示部の表示例の各拡大図
【図４】本発明の実施の形態にかかる加熱装置の表示部の表示遷移例を示す図
【図５】本発明の実施の形態にかかる加熱装置の表示部の表示遷移例を示す図
【図６】従来の加熱装置におけるドア前面、メニュー名表示部、セグメント方式表示例の各拡大図
【符号の説明】
【００６６】
１  ドア
２１  加熱室
２２  加熱手段
２３  表示手段
２３１  ドットマトリクス方式表示部
２３２  セグメント方式表示部
２３３  セグメント方式表示部
２３４  メニュー名を表記した表示部
２３５  大分類名を表記した表示部
２４  入力手段
２５  制御手段
２６  検出手段
３１  ドア取っ手
３２  ドアスクリーン
５１  セグメント方式表示の数字の１セグメント
５２  セグメント方式表示の数字の１セグメント
５３  セグメント方式表示の数字の１セグメント
５４  セグメント方式表示の数字の１セグメント
５５  セグメント方式表示の数字の１セグメント
５６  セグメント方式表示の数字の１セグメント
５７  セグメント方式表示の数字の１セグメント
８１  セグメント方式表示の３桁数字表示
８２  セグメント方式表示の３桁数字表示
９１  操作指示表記
９２  大分類名表記
９３  大分類名表記
９４  大分類名表記
９５  操作指示表示
９６  加熱条件設定値
９７  加熱条件設定値
９８  グラフ
９９  操作指示表示
１０１  付属品表示
１０２  前もって準備が必要な項目の表示
１０３  仕上がり調節表示
【図１】
2009281691.tif 000003
【図２】
2009281691.tif 000004
【図３】
2009281691.tif 000005
【図４】
2009281691.tif 000006
【図５】
2009281691.tif 000007
【図６】
2009281691.tif 000008